(57)【特許請求の範囲】
【請求項１】
四隅の柱の上下端を天井梁および床梁で連結して箱状に形成されたフレームを有する建物ユニットを複数組合わせて構成され、上階側に配置される上階ユニットの一部が下階側に配置される下階ユニットより屋外側に張り出した張出部を少なくとも１つ以上備えることにより構成されるオーバーハング部を有するユニット式建物であって、
前記下階ユニットには、上階ユニットの張出部下面を支持する底面支持構造が設けられ、
前記底面支持構造は、前記下階ユニットの屋外側柱の中間から前記上階ユニットの屋外側柱下面部位まで延び、接合金物を介して架け渡される方立と、前記下階ユニットの屋外側柱の方立が接合された部位から前記下階ユニットの天井梁中間部に架設される副方立とを備えていることを特徴とするユニット式建物。
【請求項２】
請求項１に記載のユニット式建物において、
前記上階ユニットは、前記下階ユニットの屋外側の柱位置に応じた位置に、前記上階ユニットと前記下階ユニットとを接合する接合部を備えていることを特徴とするユニット式建物。
【請求項３】
請求項１または請求項２に記載のユニット式建物において、
前記オーバーハング部は、前記下階ユニットの互いに交差する２つの側面のそれぞれから張り出す２方向張出部を有し、
この２方向張出部には、下階ユニットの屋外側面の交差部分に配置される柱から、各屋外側面に沿って張り出し方向に延びるコーナー補強梁を有することを特徴とするユニット式建物。
【発明の詳細な説明】
【０００１】
【発明の属する技術分野】
本発明は、四隅の柱の上下端を天井梁および床梁で連結して箱状に形成されたフレームを有する建物ユニットを複数組合わせて構成され、上階側に配置される上階ユニットの一部が下階側に配置される下階ユニットより屋外側に張り出したオーバーハング部を有するユニット式建物に関する。
【０００２】
【背景技術】
従来より、工場で製造した箱状の建物ユニットを、建築現場で複数組合わせて建築されるユニット式建物が利用されている。
このユニット式建物を形成する建物ユニットとしては、四隅の柱の上下端を天井梁および床梁で連結した箱状のフレームを有するものが一般的である。フレームには、天井梁に支持される天井面材、床梁に支持される床面材および部屋を仕切る間仕切壁等の内装材や、軽量気泡コンクリート等で形成された外壁等の外装材が工場で組付けられる。
【０００３】
このようなユニット式建物によれば、工場において箱状のフレームに内装材や外装材の取り付け作業まで行って建物ユニットを製造した後、その建物ユニットを現場に運搬して連結作業を行うだけで建物が完成するから、建築現場での作業が大幅に削減され、工事を短期間で完了できるというメリットが得られる。
【０００４】
一方、建物ユニットを上下積層して形成したユニット式建物において、上階側の壁面が下階側の壁面よりも屋外側に突出したオーバーハング部を形成することがある。従来、このような場合、同一平面形状の上下階ユニットを組合わせた後、上階ユニットの側面に、拡張ユニットを片持ち支持で取り付けることにより、オーバーハング部を形成していた（特許  第２７２０９５６号）。
【０００５】
【発明が解決しようとする課題】
しかしながら、上述した従来の方法では、オーバーハング部にあたるユニットを別個に製作するため、ユニット種類が増すという問題が生じる。
また、建築現場にて上下階ユニットを設置後、拡張ユニットを上階ユニットに片持ち支持状態で取り付けなければならないので、作業が煩雑になるという問題がある。
【０００６】
本発明の目的は、オーバーハング部を有するユニット式建物を建てる際のユニット種類を減らし、建築現場における作業を軽減することができるユニット式建物を提供することにある。
【０００７】
【課題を解決するための手段】
請求項１記載の発明は、四隅の柱の上下端を天井梁および床梁で連結して箱状に形成されたフレームを有する建物ユニットを複数組合わせて構成され、上階側に配置される上階ユニット７１、７２、７３の一部が下階側に配置される下階ユニット４１、４２、４３、４４、４５、４６より屋外側に張り出した張出部を少なくとも１つ以上備えることにより構成されるオーバーハング部を有するユニット式建物であって、前記下階ユニットには、上階ユニットの張出部下面を支持する底面支持構造が設けられ、前記底面支持構造は、前記下階ユニットの屋外側柱の中間から前記上階ユニットの屋外側柱下面部位まで延び、接合金物を介して架け渡される方立と、前記下階ユニットの屋外側柱の方立が接合された部位から前記下階ユニットの天井梁中間部に架設される副方立とを備えていることを特徴とする。
【００１２】
この発明によれば、下階ユニットに底面支持構造が設けられていることにより、上階ユニットの張出部を下階ユニットのフレームで支持できるので、オーバーハング部を形成する拡張ユニットは不要となり、建物ユニットの種類を増やすことなく、オーバーハング部を形成することができる。
さらに、上階ユニットの張出部を底面支持構造で支持しているので、上階ユニットに特段、補強構造を設ける必要がなく、上階ユニットの構造の簡素化をはかることができる。
【００１３】
さらに、この発明によれば、底面支持構造が、方立を備えていることにより、下階ユニットの屋外側柱の中間から、上階ユニットの屋外側柱下面部位に方立を設けるだけで前記張出部を支持できるので、底面支持構造の簡素化を図ることができる。
【００１４】
そして、この発明によれば、底面支持構造が、さらに、副方立を備えることにより、方立を介して下階ユニットの柱の横方向に作用する張出部の荷重を副方立で支えることができるので、下階ユニットの柱の補強を強固なものにすることができる。
【００１９】
請求項２記載の発明は、請求項１に記載のユニット式建物において、前記上階ユニットは、前記下階ユニットの屋外側の柱位置に応じた位置に、前記上階ユニットと前記下階ユニットとを接合する接合部３１４を備えていることを特徴とする。
この発明によれば、上階ユニットに接合部が形成されていることにより、接合部で下階ユニットの柱と上階ユニットとを接合できるので、上下階ユニットの結合を一層強固にできる。
【００２０】
請求項３記載の発明は、請求項１または請求項２に記載のユニット式建物において、前記オーバーハング部は、前記下階ユニットの互いに交差する２つの側面のそれぞれから張り出す２方向張出部５Ｃを有し、この２方向張出部には、下階ユニットの屋外側面の交差部分に配置される柱から、各屋外側面に沿って張り出し方向に延びるコーナー補強梁１１０を有することを特徴とする。
【００２１】
この発明によれば、コーナー補強梁を有することにより、２方向張出部の下階ユニットの角隅部から斜め方向に張り出す部分をコーナー補強梁で確実に支持できるので、種々のオーバーハング部の形状に対応することができる。
【００２２】
【発明の実施の形態】
以下、本発明の実施の形態を図面に基づいて説明する。
［第１実施形態］
図１には、本発明の第１実施形態に係るユニット式建物１が示されている。このユニット式建物１は、基礎２と、この基礎２の上に形成される建物本体３と、この建物本体３の上に形成される屋根４を備え、建物本体３の外周縁には、上階の壁面が下階の壁面よりも屋外側に突出したオーバーハング部５が形成されている。
建物本体３は、図１に示すように、下階ユニット３１、３２、建物ユニット３３、上階ユニット５１、５２、５３が複数組合わせて構成される。オーバーハング部５は、下階ユニット３１および上階ユニット５１を上下に組合わせて構成される張出部５Ａ、下階ユニット３２および上階ユニット５２を上下に組合わせて構成される張出部５Ｂ、下階ユニット３２および上階ユニット５３を上下に組合わせて構成される２方向張出部５Ｃ、を並設することにより構成される。
【００２３】
下階ユニット３１は、図２に示すように、直方体状のフレーム３１０を有し、このフレーム３１０は、四隅に立設される柱３１１と、これらの柱３１１の上端間、下端間に架け渡される天井梁３１２、床梁３１３を備え、柱３１１および梁３１２、３１３は、接合ボックス３１４を介して接続されている。
このようなフレーム３１０において、直方体の長辺方向に延びる一対の天井梁３１２間には、図２では図示を略したが、天井材を取り付けるための天井小梁が複数架設されている。また、長辺方向に延びる一対の床梁３１２間には、複数の床根太３１７が架設されている。
さらに、図１に示した下階ユニット３２は、下階ユニット３１とは、短辺方向の各梁３１２、３１３の長さが、より短い点のみが異なる。
そして、図１に示した建物ユニット３３は、下階ユニット３１と全く形状大きさが同じで、２階に配置される点のみが異なる。
【００２４】
上階ユニット５１は、下階ユニット３１と同様に、柱３１１、梁３１２、３１３を備えた直方体状のフレーム５１０を有するが、長辺方向が下階ユニット３１から屋外側にはみ出した部分が張出部５Ａとされる。この上階ユニット５１には、天井梁３１２と床梁３１３の間に中間柱３１５が架け渡されている。この中間柱３１５は、下階ユニット３１の屋外側柱３１１の位置に対応している。このような中間柱３１５と各梁３１２、３１３は、接合ボックス３１４を介して接合され、上面に位置する一対の接合ボックス３１４、下面に位置する一対の接合ボックス３１４間には、それぞれ中間梁３１６が架設されている。
【００２５】
この上階ユニット５１には、張出部５Ａの側面には、補強構造が設けられている。この補強構造は、中間柱３１５上端から屋外側柱３１１下端まで架け渡されているブレース１００である。
上階ユニット５１と下階ユニット３１の接続は、室内側（図中右）を接合ボックス３１４同士、下階ユニット３１の屋外側の接合ボックス３１４、上階ユニット５１の中間柱３１５下端の接合ボックス３１４で行われる。
その接続方法は、上階ユニット５１の中間柱３１５の下端に接合されている接合ボックス３１４と中間柱３１５の対応する位置に備えられている下階ユニット３１の屋外側柱３１１の上端に接合されている接合ボックス３１４の間で、図示しないがボルト、ナット等により各接合ボックス３１４に形成される図示しない挿通孔を通すことにより接合することにより行われる。
【００２６】
また、上階ユニット５２は、図３に示すように、上階ユニット５１とは、短辺方向のみが長い点が異なる。そして、上階ユニット５１と同様に短辺方向が下階ユニット３２から屋外側にはみ出した部分が張出部５Ｂとされる。
この上階ユニット５２も上階ユニット５１と同様に、張出部５Ｂの側面には、補強構造が設けられている。この補強構造は、中間柱３１５上端から屋外側柱３１１下端まで架け渡されているブレース１００である。
さらに、上階ユニット５２と下階ユニット３２の接続は、上階ユニット５１と下階ユニット３１の接続と同様に、ボルト、ナット等を用い、接合ボックス３１４に形成された図示しない挿通孔を通すことにより接合することにより行われる。
【００２７】
上階ユニット５３は、図４に示すように、上階ユニット５１とは、短辺方向、長辺方向の２方向に長い点が異なり、短辺方向、長辺方向に下階ユニット３２から屋外側にはみ出した部分が２方向張出部５Ｃとされる。この上階ユニット５３にも、天井梁３１２と床梁３１３の間に中間柱３１５が架け渡されている。この中間柱３１５は、下階ユニット３２の屋外側柱３１１の位置に対応している。
【００２８】
このような中間柱３１５と各梁３１２、３１３は、接合ボックス３１４を介して接合される。そして、上面に位置する短辺方向の一対の接合ボックス３１４間には、中間梁３１６が架設されている。そして、下面に位置する短辺方向、長辺方向それぞれ一対の接合ボックス３１４間にも、中間梁３１６が架設されている。さらに、上階ユニット５３の下面側の中間梁３１６の交差している部分は、下階ユニット３２の屋外側柱３１１と対応している。
【００２９】
下階ユニット３２と上階ユニット５３との間には、断面Ｌ字形で、全体の形状が十字形をした部材と、矩形状をした板状部材が交差部分の上面に配置されて構成されるコーナー補強梁１１０が挟まれて接合される。
具体的には、図５に示すように、コーナー補強梁１１０のＬ字形状をした上面部分が上階ユニット５３の中間梁３１６に当接し、下面部分が下階ユニット３２の天井梁３１２に当接している。コーナー補強梁１１０の各梁３１２、３１６に当接する面、前記中間梁３１６および前記天井梁３１２には、挿通孔１２０Ａが形成され、ボルト１２０の締結部材が挿通され、ナット１２１を螺合することにより緊締され、コーナー補強梁１１０、前記中間梁３１６および天井梁３１２が接合される。これにより、張出部５Ｃの補強をすることができる。
【００３０】
さらに、上階ユニット５３と下階ユニット３２の接続は、上記に示したコーナー補強梁１１０を上階ユニット５１と下階ユニット３２の接続方法と同様に、ボルト、ナット等を用い、接合ボックス３１４に形成された図示しない挿通孔を通すことにより接合することにより行われる。
【００３１】
上述のような本実施形態によれば、次のような効果がある。
（１）上階ユニット５１、５２、５３の側面にブレース１００を設けることにより、上階ユニット５１、５２、５３の張出部５Ａ、５Ｂ、２方向張出部５Ｃをこの補強構造で支持することができるので、建物本体３のオーバーハング部５を形成する拡張ユニットは不要となり、建物ユニットの種類を増やすことなく、オーバーハング部５を形成することができる。
さらに、張出部５Ａ、５Ｂ、２方向張出部５Ｃの側面にブレース１００を設けるので、拡張ユニットを上階ユニット５１、５２、５３に設置する際の作業の手間に比較して、現場作業の手間を軽減することができる。
そして、上階ユニット５１、５２、５３の中間柱３１５上端と屋外側柱３１１下端にブレース１００を架設するだけで上階ユニット５１、５２、５３の張出部５Ａ、５Ｂ、２方向張出部５Ｃを補強できるので、張出部５Ａ、５Ｂ、２方向張出部５Ｃの補強構造の簡素化を図ることができる。
（２）コーナー補強梁１１０を有することにより、２方向張出部５Ｃの下階ユニット３２の角隅部から斜め方向に張り出す部分をコーナー補強梁１１０で確実に支持できるので、種々のオーバーハング部の形状に対応することができる。
【００３２】
［第２実施形態］
次に本発明の第２実施形態を説明する。なお、以下の説明では既に説明した部分、部材と同一のものは同一符号を付してその説明を簡略する。
第１実施形態において補強構造は、張出部５Ａ、５Ｂ、２方向張出部５Ｃの中間柱３１５上端から屋外側柱３１１に架設されたブレースであったが、第２実施形態において補強構造は、図６に示すように、張出部５Ａの中間柱３１５上端から屋外側柱３１１に架設された複数の斜材１０１Ａであり、これらがラチス構造１０１を構成する点において第１実施形態と異なる。
【００３３】
同様にして、第２実施形態に係る図７の上階ユニット６２、図８の上階ユニット６３も、補強構造がそれぞれ張出部５Ｂ、２方向張出部５Ｃの中間柱３１５上端から屋外側柱３１１に架設された複数の斜材１０１Ａであり、これらがラチス構造１０１を構成している。
【００３４】
上述のような本実施形態によれば、前述の第１実施形態の効果に加えて次のような効果がある。
（３）上階ユニット６１、６２、６３の側面に斜材１０１Ａを複数設けることにより、上階ユニット６１、６２、６３の張出部５Ａ、５Ｂ、２方向張出部５Ｃをこの補強構造で支持することができる。
さらに、張出部５Ａ、５Ｂ、２方向張出部５Ｃの側面に斜材１０１Ａを複数設けるので、拡張ユニットを上階ユニット６１、６２、６３に設置する際の作業の手間に比較して、現場作業の手間を軽減することができる。
そして、上階ユニット６１、６２、６３の中間柱３１５上端と屋外側柱３１１下端に斜材１０１Ａを複数架設するだけで上階ユニット６１、６２、６３の張出部５Ａ、５Ｂ、２方向張出部５Ｃを補強できるので、張出部５Ａ、５Ｂ、２方向張出部５Ｃの補強構造の簡素化を図ることができる。
（４）補強構造がラチス構造１０１を備えることにより、中間柱３１５と屋外側柱３１１に複数の斜材１０１Ａを架設するだけで、高強度の補強ができるので、張出部５Ａ、５Ｂ、２方向張出部５Ｃを一層強固に支持できる。
【００３５】
［第３実施形態］
次に本発明の第３実施形態を説明する。前述の第１、第２実施形態では、上階ユニットの補強構造により下階ユニットより張り出した上階ユニットの張出部を補強していた。
これに対して、第３実施形態では、図９に示すように、下階ユニット４１には、下階ユニット４１より屋外側へ張り出した上階ユニット７１の張出部５Ａを支持するための底面支持構造が設けられている。この底面支持構造は、方立１０２、接合金物１０２Ａ、副方立１０３から構成されており、下階ユニット４１が、屋外側柱３１１の中間から上階ユニット７１の屋外側柱３１１下面部位まで延びる方立１０２を接合金物１０２Ａを介して架け渡して構成されている。さらに、下階ユニット４１には、下階ユニット４１の屋外側柱３１１の方立１０２が接合された部位から下階ユニット４１の天井梁３１２の中間部に副方立１０３が架け渡されている。
ここで、下階ユニット４１は、図２の下階ユニット３１とは、前記底面支持構造が設けられている点のみが異なる。
【００３６】
上階ユニット７１と下階ユニット４１の接合は、上階ユニット７１の中間柱３１５の下端に接合されている接合ボックス３１４と中間柱３１５の対応する位置に備えられている下階ユニット４１の屋外側柱３１１の上端に接合されている接合ボックス３１４の間で、図示しないがボルト、ナット等により各接合ボックス３１４に形成される図示しない挿通孔を通すことにより接合することにより行われる。
【００３７】
また、上階ユニット７２は、図１０に示すように、上階ユニット７１とは、短辺方向のみが長い点が異なる。そして、上階ユニット５１と同様に短辺方向が下階ユニット４２から屋外側にはみ出した部分が張出部５Ｂとされる。
張出部５Ｂも、下階ユニット４２に設けられた底面支持構造に支持される。この底面支持構造も同様に、方立１０２、接合金物１０２Ａ、副方立１０３から構成されており、下階ユニット４２が、屋外側柱３１１の中間から上階ユニット７２の屋外側柱３１１下面部位まで延びる方立１０２を接合金物１０２Ａを介して架け渡して構成されている。さらに、下階ユニット４２には、下階ユニット４１の屋外側柱３１１の方立１０２が接合された部位から下階ユニット４２の天井梁３１２の中間部に副方立１０３を架け渡されている。
ここで、下階ユニット４２は、図３の下階ユニット３２とは、前記底面支持構造が設けられている点のみが異なる。
【００３８】
上階ユニット７２と下階ユニット４２の接合も、上階ユニット７２の中間柱３１５の下端に接合されている接合ボックス３１４と中間柱３１５の対応する位置に備えられている下階ユニット４２の屋外側柱３１１の上端に接合されている接合ボックス３１４の間で、図示しないがボルト、ナット等により各接合ボックス３１４に形成される図示しない挿通孔を通すことにより接合することにより行われる。
【００３９】
さらに、上階ユニット７３は、図１１に示すように、上階ユニット７１とは、短辺方向、長辺方向の２方向に長い点が異なり、短辺方向、長辺方向に下階ユニット４３から屋外側にはみ出した部分が２方向張出部５Ｃとされる。
張出部５Ｃも、下階ユニット４３に設けられた底面支持構造に支持される。この底面支持構造も同様に、方立１０２、接合金物１０２Ａ、副方立１０３から構成されており、下階ユニット４３が、屋外側柱３１１の中間から上階ユニット７３の屋外側柱３１１下面部位まで延びる方立１０２を接合金物１０２Ａを介して架け渡して構成されている。さらに、下階ユニット４３には、下階ユニット４３の屋外側柱３１１の方立１０２が接合された部位から下階ユニット４３の天井梁３１２の中間部に副方立１０３を架け渡されている。
ここで、下階ユニット４３は、図３の下階ユニット３２とは、前記底面支持構造が設けられている点のみが異なる。
【００４０】
上階ユニット７３と下階ユニット４３の接合も、上階ユニット７３の中間柱３１５の下端に接合されている接合ボックス３１４と中間柱３１５の対応する位置に備えられている下階ユニット４３の屋外側柱３１１の上端に接合されている接合ボックス３１４の間で、図示しないがボルト、ナット等により各接合ボックス３１４に形成される図示しない挿通孔を通すことにより接合することにより行われる。
【００４１】
上述のような本実施形態によれば、第１、第２実施形態における効果とは別に次のような効果がある。
（５）方立１０２を備えていることにより、下階ユニット４１、４２、４３の屋外側柱３１１の中間から、上階ユニット７１、７２、７３の屋外側柱３１１下面部位に方立１０２を設けるだけで張出部５Ａ、５Ｂ、２方向張出部５Ｃを支持できるので、支持構造の簡素化を図ることができる。
（６）副方立１０３を備えることにより、方立１０２を介して下階ユニット４１、４２、４３の柱３１１の横方向に作用する張出部５Ａ、５Ｂ、２方向張出部５Ｃの荷重を副方立１０３で支えることができるので、下階ユニット４１、４２、４３の柱３１１の補強を強固なものにすることができる。
【００４２】
［第４実施形態］
次に本発明の第４実施形態を説明する。第３実施形態において底面支持構造は、方立、接合金物、副方立から構成されていたが、第４実施形態において底面支持構造は、下階ユニットの屋外側柱の上端から上階ユニットの張出部の張出方向に延びる延長梁と、この延長梁と上階ユニットの床梁とを結合して合わせ梁を構成する結合手段と、を備えて構成されている。
【００４３】
図１２に示すように、下階ユニット４４には、屋外側柱３１１の上端から屋外側に延びる延長梁１０４が設けられている。この延長梁１０４と上階ユニット７１の張出部５Ａは対応している。延長梁１０４は、上階ユニット７１の屋外側柱３１１に対応する位置まで延び、その位置に位置する接合ボックス３１４によって、天井梁３１２が接合されて構成されている。
さらに、この延長梁１０４と上階ユニットの床梁３１３とを結合して合わせ梁を構成する結合手段とは、ボルト、ナット、四角上のプレートであるスペーサ等である。
【００４４】
具体的には、上階ユニット７１の床梁３１３と延長梁１０４の結合は、上階ユニット７１の短辺側の床梁３１３と下階ユニット４４の延長梁１０４を長辺側より見た断面図である図１３に示すように、予め、前記床梁３１３の下面、スペーサ１２４、延長梁１０４の上面に挿通孔１２０Ａを形成し、まずスペーサ１２４を床梁３１３と延長梁１０４の間に設置し、床梁３１３の下面、スペーサ１２４、延長梁１０４の上面をボルト１２０を挿通孔１２０Ａに挿通させ、ナット１２１に螺合して緊締する。
【００４５】
また、床梁３１３、延長梁１０４にブラケット１２２をボルト、ナット等で接合し、ブラケット１２２表面に、接合プレート１２３を合わせて、接合プレート１２３、ブラケット１２２には、挿通孔１２０Ａがあり、ボルト１２０をこの挿通孔１２０Ａに挿通させ、ナット１２１に螺合して緊締する。これにより、各梁３１３、１０４が接合される。
【００４６】
図１４の下階ユニット４５は、図１２の下階ユニット４４とは、短辺方向のみが長い点が異なり、下階ユニット４５の屋外側柱３１１の上端から屋外側に延びる延長梁１０５が設けられている。図１２の下階ユニット４４の場合と同様の方法で、延長梁１０５と上階ユニット７２の床梁３１３とは、ボルト、ナット等を用いて接続される。
【００４７】
さらに、図１５の下階ユニット４６は、図１２の下階ユニット４４とは、短辺方向、長辺方向の両方とも長い点が異なり、下階ユニット４６の屋外側柱３１１の上端から屋外側に延びる延長梁１０６が設けられている。図１２の下階ユニット４４の場合と同様の方法で、延長梁１０６と上階ユニット７３の床梁３１３とは、ボルト、ナット等を用いて接続される。
【００４８】
上述のような本実施形態によれば、第１、第２、第３実施形態における効果とは別に次のような効果がある。
（７）下階ユニット４４、４５、４６が、延長梁１０４、１０５、１０６を備えることにより、下階ユニット４４、４５、４６全体で上階ユニットの張出部５Ａ、５Ｂ、２方向張出部５Ｃを支持できるので、張出部５Ａ、５Ｂ、２方向張出部５Ｃを一層強固に支持することができる。
（８）延長梁１０４、１０５、１０６の上面と張出部５Ａ、５Ｂ、２方向張出部５Ｃの床梁３１３の下面に挿通孔１２０Ａを開けて、上階ユニット７２、７３、７４の張出部５Ａ、５Ｂ、２方向張出部５Ｃと、下階ユニット４４、４５、４６の延長梁１０４、１０５、１０６を結合することができるので、現場作業の簡素化をはかることができる。
（９）結合手段として接合プレート１２３を有することにより、上階ユニット７１、７２、７３の床梁３１３と下階ユニット４４、４５、４６の延長梁１０４、１０５、１０６との結合を各梁３１３、１０４、１０５、１０６側面の全体にわたって行うことができるので、合わせ梁の一体性を一層向上できる。
【００４９】
その他、本発明を実施する際の具体的な構造および形状等は、本発明の目的を達成できる範囲内で他の構造等としてもよい。例えば、前記第３実施形態において、底面支持構造として、副方立１０３を用いたが、これに限られず、柱の強度が十分に保てるならば、方立１０２のみの構造としてもよい。
また、前記第４実施形態において、結合手段として、ボルト１２０、ナット１２１、スペーサ１２４等を用いたが、これに限られず、目的を達成する範囲内で別の手段を用いてもよい。例えば、スペーサ１２４の他に梁を傷つけないために、ワッシャー等を用いることも可能である。
さらに、前記第１実施形態において、下階ユニット３２が下階ユニット３１よりも短辺側が短いものを用いたが、これに限られず、短辺側が同じ長さのものを採用し、上階ユニット５３の短辺側を下階ユニット３２から張り出すように延ばしてオーバーハング部５を構成するようにしてもよい。さらに、上階ユニット５２も同様にして、短辺側を下階ユニット３２から張り出すようにして、オーバーハング部５を構成するようにしてもよい。
【００５０】
【発明の効果】
請求項１記載の発明によれば、下階ユニットに底面支持構造が設けられていることにより、上階ユニットの張出部を下階ユニットのフレームで支持できるので、オーバーハング部を形成する拡張ユニットは不要となり、建物ユニットの種類を増やすことなく、オーバーハング部を形成することができる。
さらに、上階ユニットの張出部を底面支持構造で支持しているので、上階ユニットに特段、補強構造を設ける必要がなく、上階ユニットの構造の簡素化をはかることができる。
【００５３】
そして、下階ユニットに底面支持構造が設けられていることにより、上階ユニットの張出部を下階ユニットのフレームで支持できるので、オーバーハング部を形成する拡張ユニットは不要となり、建物ユニットの種類を増やすことなく、オーバーハング部を形成することができる。
さらに、上階ユニットの張出部を底面支持構造で支持しているので、上階ユニットに特段、補強構造を設ける必要がなく、上階ユニットの構造の簡素化をはかることができる。
【００５４】
さらに、底面支持構造が、方立を備えていることにより、下階ユニットの屋外側柱の中間から、上階ユニットの屋外側柱下面部位に方立を設けるだけで前記張出部を支持できるので、底面支持構造の簡素化を図ることができる。
【００５５】
底面支持構造が、さらに、副方立を備えることにより、方立を介して下階ユニットの柱の横方向に作用する張出部の荷重を副方立で支えることができるので、下階ユニットの柱の補強を強固なものにすることができる。
【００５９】
請求項２記載の発明によれば、上階ユニットに接合部が形成されていることにより、接合部で下階ユニットの柱と上階ユニットとを接合できるので、上下階ユニットの結合を一層強固にできる。
【００６０】
請求項３記載の発明によれば、コーナー補強梁を有することにより、２方向張出部の下階ユニットの角隅部から斜め方向に張り出す部分をコーナー補強梁で確実に支持できるので、種々のオーバーハング部の形状に対応することができる。
【図面の簡単な説明】
【図１】本発明の第１実施形態に係るユニット式建物を示す全体斜視図である。
【図２】第１実施形態における短辺側のみ張り出した上階ユニット（ブレース使用）と下階ユニットの接合を示す斜視図である。
【図３】第１実施形態における長辺側のみ張り出した上階ユニット（ブレース使用）と下階ユニットの接合を示す斜視図である。
【図４】第１実施形態における２方向に張り出した上階ユニット（ブレース使用）と下階ユニットの接合を示す斜視図である。
【図５】コーナー補強梁の接合方法を示す図である。
【図６】第２実施形態における短辺側のみ張り出した上階ユニット（斜材使用）と下階ユニットの接合を示す斜視図である。
【図７】第２実施形態における長辺側のみ張り出した上階ユニット（斜材使用）と下階ユニットの接合を示す斜視図である。
【図８】第２実施形態における２方向に張り出した上階ユニット（斜材使用）と下階ユニットの接合を示す斜視図である。
【図９】第３実施形態における短辺側のみ張り出した上階ユニットと下階ユニット（方立使用）の接合を示す斜視図である。
【図１０】第３実施形態における長辺側のみ張り出した上階ユニットと下階ユニット（方立使用）の接合を示す斜視図である。
【図１１】第３実施形態における２方向に張り出した上階ユニットと下階ユニット（方立使用）の接合を示す斜視図である。
【図１２】第４実施形態における短辺側のみ張り出した上階ユニットと下階ユニット（延長梁使用）の接合を示す斜視図である。
【図１３】第４実施形態における上階ユニットの床梁と下階ユニットの延長梁の接合を示した図である。
【図１４】第４実施形態における長辺側のみ張り出した上階ユニットと下階ユニット（延長梁使用）の接合を示す斜視図である。
【図１５】第４実施形態における２方向に張り出した上階ユニットと下階ユニット（延長梁使用）の接合を示す斜視図である。
【符号の説明】
１      ユニット式建物
５      オーバーハング部
５Ａ、５Ｂ      張出部
５Ｃ      ２方向張出部
３１、３２、４１、４２、４３、４４、４５、４６      下階ユニット
３３      建物ユニット
５１、５２、５３、６１、６２、６３、７１、７２、７３      上階ユニット
１００      ブレース
１０１      ラチス構造
１０２      方立
１０３      副方立
１０４、１０５、１０６      延長梁
１１０      コーナー補強梁
１２０      ボルト
１２１      ナット
１２３      接合プレート
３１０、５１０      フレーム
３１１      柱
３１２      床梁
３１２      天井梁
３１３      床梁
３１４      接合ボックス
３１５      中間柱
【図１】
0004676610.tif 000002
【図２】
0004676610.tif 000003
【図３】
0004676610.tif 000004
【図４】
0004676610.tif 000005
【図５】
0004676610.tif 000006
【図６】
0004676610.tif 000007
【図７】
0004676610.tif 000008
【図８】
0004676610.tif 000009
【図９】
0004676610.tif 000010
【図１０】
0004676610.tif 000011
【図１１】
0004676610.tif 000012
【図１２】
0004676610.tif 000013
【図１３】
0004676610.tif 000014
【図１４】
0004676610.tif 000015
【図１５】
0004676610.tif 000016